(57)【要約】【課題】二枚貝等の底棲生物を安価かつ安定した量を市場に提供することができるばかりでなく、新鮮な水の流れを造り、自然の生息環境に近い環境を整え、単位面積当たりの育成数量を増加することができる養殖装置を提供する。【解決手段】水槽３に浸漬されると共に、二枚貝等の底棲生物Ｓの育成床となる複数の皿状容器２を鉛直方向に階層し、階層した育成床を鉛直方向に貫通する中央空洞４及びこの空洞４と通ずる各育成床間に水平方向の間隙Ｄ１を画成する。【選択図】図１
2012019746.tif 000002
【特許請求の範囲】
【請求項１】
水槽又は水域中に浸漬されると共に、二枚貝等の底棲生物の育成床となる複数の皿状容器を鉛直方向に階層し、当該階層育成床を鉛直方向に貫通する中央空洞及びこの空洞と通ずる各育成床間に水平方向の間隙を画成したことを特徴とする二枚貝等の底棲生物の養殖装置。
【請求項２】
皿状容器を分割可能に構成したことを特徴とする請求項１記載の二枚貝等の底棲生物の養殖装置。
【請求項３】
装置内外へ水を流動するべく、気泡発生器若しくは水流発生器を備えたことを特徴とする請求項１又は請求項２記載の二枚貝等の底棲生物の養殖装置。
【請求項４】
水槽に給排水管及び弁を備え、当該水槽の水位及び給排水量を調整可能にしたことを特徴とする養殖装置。
【発明の詳細な説明】
【技術分野】
【０００１】
本発明は、二枚貝等の棲底生物の養殖装置に関するものであり、とくに、アサリやハマグリ、シジミのように潮流にさらされる環境で生息している棲底生物を養殖するために使用される装置に関するものである。
【背景技術】
【０００２】
アサリ、ハマグリ、シジミ等に代表される二枚貝類は、わが国の代表的な大衆魚介類であり、庶民が安価に取れる水産タンパク源である。しかし今日、海域の水質汚染、沿岸の護岸工事等による砂浜と干潟の減少等により、資源量及び漁獲量は激減している。現在、二枚貝類の資源量及び漁獲量を確保するため、各地で養殖が行われているが、その養殖方法の多くは、稚貝を海浜に人為的に撒いて自然環境の中で育成させるものである。しかし、このような従来の養殖方法は、海域の環境変化に影響され、生産コストも決して安価ではなく、かつ安定した量を市場に供給できない。
【０００３】
一方、二枚貝の環境に及ぼす作用をみると、二枚貝の摂餌方法は、海水中に浮遊懸濁している微細な植物プランクトンやそれらの破片であるデトライタスをエラによって濾過し、その濾過能力をみると、殻長３ｃｍ程度のアサリで一日当たり海水約３リットルを濾過しており、富栄養化物質を除去する海域浄化に貢献している。
【０００４】
従来の貝類養殖装置として提案されている技術を大きく分類すると、海中養殖と陸上養殖とに分けられる。海中での養殖装置は稚貝を付着させる板等を網で囲んで海中に下ろして育成させるため、自然な生息状態に比較的近い環境を整え易いというメリットがある（特許文献１及び特許文献２参照。）。しかし、二枚貝類は売価が安いということもあり、生産コストが課題となって養殖魚介類としては低位に留まっている。とくに、陸上養殖に至ってはコスト面が課題となってほとんど実施されていないのが現状である。
【０００５】
例えば、特許文献３には、陸上におけるアワビの養殖施設が記載されている。このアワビの養殖施設は、アワビの飼育水槽を多段に設置し、この飼育水槽に海水を供給する給水管とオーバーフロー管を備え、さらに飼育水槽に給気管及び給餌場が付設されている。そして、ポンプで給水管に海水を流入させると共に、オーバーフロー管を下げることによって海水を下段の水槽へ流し、海水の流動を促進させる。また、給気管にはブロアーで空気を吸入し、圧縮空気を泡状に噴出させる。これにより溶存酸素の補給を行うようになっている。
【先行技術文献】
【特許文献】
【０００６】
【特許文献１】特許第３９１３６６９号公報
【特許文献２】特許第３９７９７４６号公報
【特許文献３】特許第３４９３３５７号公報
【発明の概要】
【発明が解決しようとする課題】
【０００７】
しかしながら、従来の貝類の陸上養殖装置では、貝類が生息しているような潮通しがよくてきれいな環境を実現することが難しい。具体的には、水が淀みやすいために水中の溶存酸素量が減少し、残餌や排泄物を除去することが困難で病気に罹り易いという問題があった。本発明は、自然環境に委ねるしかなかった従来の養殖技術が抱える課題を解決するものであり、二枚貝等の底棲生物を安価かつ安定して市場に提供することができるばかりでなく、新鮮な水の流れを造り、自然の生息環境に近い環境を整え、単位面積当たりの育成数量を増加することができる養殖装置を提供することを目的とする。
【課題を解決するための手段】
【０００８】
上記目的を達成するため、本発明の二枚貝等の底棲生物の養殖装置は、水槽又は水域中に浸漬されると共に、二枚貝等の底棲生物の育成床となる複数の皿状容器を鉛直方向に階層し、当該階層育成床を鉛直方向に貫通する中央空洞及びこの空洞と通ずる各育成床間に水平方向の間隙を画成したことを第１の特徴とする。また、皿状容器を分割可能に構成したことを第２の特徴とする。さらに、装置内外へ水を流動するべく、気泡発生器若しくは水流発生器を備えたことを第３の特徴とする。さらにまた、水槽に給排水管及び弁を備え、当該水槽の水位及び給排水量を調整可能にしたことを第４の特徴とする。
【発明の効果】
【０００９】
従来の海浜を利用した養殖方法が、いわば「平屋建ての住宅」であるのに対し、本装置は「高層の集合住宅」といえ、生産効率を飛躍的に高めるものである。さらに、生産効率を高めるため、階層した育成床を鉛直方向に貫通する中心空洞及びこの空洞と通ずる各育成床間に水平方向の間隙を設け、装置内の水の流動を促進させる。さらに、本装置内外へ水がより流動するよう、気泡発生器若しくは水流発生器を設置する。さらに、人為的に育成環境を制御するため、給水管及び弁を備えた水槽に納め、水槽の水位及び水槽の給排水量を調整する。これにより、水槽内の汚濁物や餌量の調整を可能とし、より生産効率を高めることができる。
【００１０】
さらに、このような給排水管及び弁を備えた複数の水槽を、管により連結すると、大規模な養殖プラントに発展させることができ、生産効率は飛躍的に高まる。また、このプラントにおいて、排水側の配管にサイフォン管を採用して連結すれば、水槽内の水位が自然に上昇下降し、人工的に干潮満潮を再現できることから、養殖対称に適した干出時間の調整が容易にできる。
【００１１】
とくに、陸上養殖を可能とするが、海浜養殖においても利用が可能であり、総合的なプラントとして有用である。また、本装置は、一台から数千台といった大規模なシステムまで構成が可能であることから、単に水産養殖の分野に留まらず小規模な飲食産業、レジャー産業から巨大生産工場までその利用範囲は広い。
【図面の簡単な説明】
【００１２】
【図１】本発明に係る養殖装置の一実施例を示すスケルトン斜視図である。
【図２】本発明に係る養殖装置の他の実施例を示すスケルトン斜視図である。
【図３】本発明に係る養殖装置の他の実施例を示すスケルトン斜視図である。
【図４】育成皿（育成床）を示す斜視図である。
【図５】本発明に係る閉水状態を示す養殖装置の縦断面図である。
【図６】育成皿（育成床）の要部断面図である。
【図７】育成皿（育成床）間の間隙を示す要部断面図である。
【図８】育成皿（育成床）間の間隙を示す要部断面図である。
【図９】養殖装置への下部からの給水状態を示す縦断面図である。
【図１０】養殖装置への上部からの給水状態を示す縦断面図である。
【図１１】養殖装置に水槽を使用しない例を示す縦断面図である。
【図１２】本発明装置を使用した養殖プラントの模式図である。
【図１３】本発明装置を使用した養殖プラントの模式図である。
【図１４】本発明装置を使用した養殖プラントの模式図である。
【図１５】本発明装置を使用した養殖プラントの模式図である。
【図１６】本発明装置を使用した養殖プラントの模式図である。
【発明を実施するための形態】
【実施例】
【００１３】
本発明に係る養殖装置１は、図１及び図２に示すように、円形の育成皿２を多段に複数枚積層して、その上部よりも下部が縮径したカップ状の水槽３に収容して構成される。積層された育成皿２の中央部は水槽３内で底部から上部まで円管状の中央空洞４が形成される構造となっている。
【００１４】
ここで、育成皿２は、円周方向に扇状に分割された４つの貝収容部２ａを組み合わせて構成されており、貝収容部２ａの底面にはパンチングメタルあるいはメッシュフィルター等の網体２ｂが張設されている。そして、育成皿２を鉛直方向に積層することで、育成皿２の弧状凹所２ｃが階層して中心軸線上に円管状の中央空洞４が画成されるようになっている。このように育成皿２を分割して構成することで観察や収穫を容易に行うことができる。
【００１５】
さらに、図２に示す装置は、この円管状の中心空洞４内に円筒管５を差し入れ係合させた構造となっている。円筒管５の表面任意箇所には、育成皿２の接触面の弧凹所２ｃの係合ディンプル２ｄに雌雄嵌合する突起５ａが形成されている。
【００１６】
図３に示す養殖装置１は中央空洞４を錐形板２eの積層によって区画形成する構成となっている。このように、中心空洞４の形状は上述のような円管形に限定されるものではなく、例えば矩形管形でも楕円管形でも構わない。また、各実施例装置の底部は空間ができるように上げ底構造となっているが、使用状況によっては底面を基端としても構わない。
【００１７】
本実施例に係る育成皿２は、図１に示すように扇状に分割されているが、円形の一体構造としてもよく、使用時、作製時の状況に応じて適宜変更が可能であり、その機能が発揮できる構造体であれば、その形状は限定されない。また、上述したように、貝収容部２ａの底部は、穴開きパンチング構造、あるいはメッシュフィルター構造となっており、育成に使用される海水、淡水が通過できる構造となっているが、使用状況によっては底板を水が浸透しない構造としても構わない。
【００１８】
本発明装置の最大の特徴は、育成皿２を多段に階層したときに積層体の中心軸上に煙突様の中心空洞４が画成されることにあり、育成皿２の外周縁は、重ね合わせたときに隙間Ｄ１ができる構造とされている点にある。尚、本実施例では、育成皿２の外形を円形で説明しているが、その機能、作用が維持されるなら、楕円でも矩形でもよい。
【００１９】
また、本実施例では、アサリ、ハマグリ等の底棲二枚貝を養殖する場合について説明しているが、育成する底棲生物はこれらに限定されず、牡蠣、シジミ貝等の淡水で成長する貝類についても適用できる。
【００２０】
各段の育成皿２には、図４に示すように、対象貝類Ｓに適した砂等の育成培地６を皿の上部まで敷き詰め、そこにアサリ、ハマグリ等の育成対象貝類Ｓを載置する。アサリ、ハマグリは装置稼動後に自ら潜砂して安定生息状態となる。
【００２１】
本発明に係る養殖装置１は、育成皿２を水槽３内に多段に組上げた後に注水する。つまり、本養殖装置１は砂浜海岸を階層した構造となり、装置の設置面積に対する養殖培地６の面積を飛躍的に引き上げている。尚、養殖装置１内で貝類を育成するためには、海水を流動させる必要があり、海水を流動させるためには、下記に詳述する方法が採用されるが、利用状況に合わせて選択、またこれらを合成した手法を用いても構わない。
【００２２】
ここで、微小気泡による曝気、すなわちエアレーションによる上昇流と水槽３の下部からの給水による水槽内の水流の動きを説明する。図５に示すように、水槽３内にある海水Ｗ及び給水された海水Ｗは、気泡の上昇力と給水された水圧で中心部空洞４内を上昇するが、その際に各段の育成皿２の中心開口部から流動する海水Ｗの連行作用によって、各育成皿２の段間の間隙Ｄ１に存在する海水Ｗが空洞４に吸い込まれていく。空洞４に吸い込まれた海水Ｗは、空洞４内を他の間隙Ｄ１から吸水された海水Ｗと共に水槽３の上部まで到達した後に当然排出されるが、その他の海水Ｗは育成皿２と水槽３の壁面間の間隙Ｄ２から各階層の間隙Ｄ１に戻り循環流を形成する。また、育成皿２に敷き詰めた砂等の養殖培地６の空隙を浸透濾過して下段の間隙Ｄ１に流動する。これにより、酸素を十分含んだ水流を効率的に供給でき、呼吸がし易く潮通しのよい生息環境を提供することができる。
【００２３】
図６は、二枚貝Ｓが潜砂した状態の育成皿２の断面を示したものである。二枚貝Ｓの本体は潜砂した砂６中にあるが、呼吸のため溶存酸素の取り込みと餌である海中の懸濁態有機物の取り込みは、入水管Ｓａ及び出水管Ｓｂを砂６上に露出して砂面直上の海水Ｗから吸水、濾過摂食する。したがって、これら二枚貝Ｓが生息するための重要な条件は、砂面直上の育成環境をいかに良好にするかということである。例えば、アサリは砂面直上数センチ程度の幅の海水しか吸水することができない。それより上層にどれだけ良い海水があろうが、餌があろうが関係ない。
【００２４】
図７及び図８に示すように、養殖装置１は各育成皿２段間の間隙Ｄ１に、中央空洞４方向に連通される海水Ｗの捕流で常に流れが発生することになり、間隙Ｄ１の間隔幅を調整することで、その流速を変化させることができ、育成する底棲生物の種別に応じた最適な流速を設定することができる。加えて、間隙Ｄ１の幅を狭くすることで、育成する底棲生物が利用可能な範囲の水深を保持すればよく、より少ない海水量で効果的に溶存酸素や懸濁態餌量を供給することができる。本装置１ではエアホース８から送気した空気を散気ブロアー７を使用して微小気泡を中央空洞４の下方で発生させてエアレーションし、上昇流を発生させているが、このエアレーションは海水中の溶存酸素の供給にも資している。
【００２５】
一方、砂６には、海水からの沈降物と、育成貝の糞や偽糞といわれる口から直接吐き出される凝集有機物態が砂中に吐き出され堆積してくる。これらの有機汚物は砂６中のバクテリアによって分解されることになるが、砂６中に十分酸素が無いと、嫌気性の分解過程を経て、生息生物にとって有害な硫化水素等の汚染物質が増加して、いずれは育成生物が生息できなくなる。これを回避するためには、砂６中にも十分な酸素を供給し続ける必要がある。また、バクテリアによる分解によって生成された物質をできるだけ蓄積させないように、溶出、洗い出し作用を継続させる必要がある。本装置１では、各育成皿２段間の間隙Ｄ１内に常に水流が発生するので、間隙Ｄ１の天井部、つまり育成皿２の底部のパンチ穴やメッシュフィルターも洗浄される。
【００２６】
このように、間隙Ｄ１が肝要な働きをしており、間隙Ｄ１の幅はできるだけ狭い幅を取ることで少量の海水で効果的な流速を発生させることができ、溶存酸素及び餌量の運搬を可能にする。当然、水槽３内の海水を交換しなければ汚染物質の濃度は上昇する。汚濁状況に応じて水槽３内の海水は交換する必要があるが、水槽３内の育成生物Ｓに利用される海水の比率は非常に高いために、無駄な海水の交換の比率を下げることができ、結果的に、より少量な海水交換量で済み、海水を供給するポンプ等の設備費やコスト削減につながる。
【００２７】
また、海水中の餌量は育成生物Ｓの摂餌活動で減少していくので、減少に応じた分の微細藻等の餌の供給は必要となるが、供給海水中、あるいは水槽３内海水中に十分な餌量や酸素が存在していれば、敢えて餌量や酸素を供給する必要はない。また、生育期間が短くて良い場合は、水槽３の外部から海水の注入をしない独立循環型での利用も可能である。
【００２８】
図９は、水槽３の外部からの給水法を示している。これによれば、供給海水中の溶存酸素及び餌量が十分であれば、エアレーションせずとも所期の効果を得ることができる。排水は水槽３上部からオーバーフローさせても、上部排水管５から排水させてもよい。もちろん、中央空洞４内で微小気泡を発生させて、エアーリフト方式で空洞内上昇流を促進させると水槽内循環流の効率が高くなることは前述のとおりである。
【００２９】
図１０には、中央空洞４の上部より海水を注入する方法を示している、この場合は、中央空洞４の上部を水槽３の水面より嵩上げする必要がある。この方法では、中央空洞４の上昇流とその連行作用は発生しない。逆に、中央空洞４内に供給される海水Ｗを各段間隙Ｄ１内に分配することになるが、溶存酸素、餌の供給といった作用は、前述の方法と同様である。この方法は、水槽３外から海水が十分に供給可能であり、供給体に溶存酸素や餌量といった物質が豊富に含まれている場合に有効である。
【００３０】
上記いずれの方法も、養殖培地６に海水Ｗを効果的に接触、循環させることができ、底部一面利用の従来の海浜利用養殖に比較して、育成床を階層して立体化することで、単位面積当たりの個体収容密度を飛躍的に高めることができる。
【００３１】
図１１は、水槽３を使用することなく、育成皿２のみを使用する方法を示している。本発明の要旨は、各育成皿２間の間隙Ｄ１に潮流が発生することである。したがって、この機能が発揮されれば、敢えて循環流を発生させなくても所期の養殖効果は得られる。つまり、陸上養殖であれば水槽３は必須であるが、内湾や漁港内に階層した育成皿２のみを沈降して、中央空洞４内に上昇流又は下降流を発生させるものでもよい。
【００３２】
以下、本発明装置を使用した養殖プラントについて説明する。ここでいうプラントとは、育成皿２のみ又は水槽３を含む養殖装置１を複数連結して使用するシステムを指している。その連結法は大別すると、使用する水（海水、淡水、汽水等が考えられるが、ここではこれらの代表呼称として「海水」を使用する。）を常に駐留あるいは貯水した状態で使用するシステム（ここでは、貯水システムと呼ぶことにする）と通常の干潟、砂浜で見られる干潮、満潮現象を取り入れた貯水状態と干潮、干出状態を繰り返すシステム（ここでは、干満システムと呼ぶことにする）である。
【００３３】
貯水システムプラント：
図１２（ａ）は、育成皿２を水槽３内に複数枚積層した養殖装置１の水槽３の下部より餌を含んだ海水Ｗを水槽３内に供給し、常時貯留させた状態で水槽３からオーバーフローした海水Ｗを排水パイプ１１に排出するシステムである。この貯水システムの特徴はブロアー７によって中央空洞４内に上昇流を発生させるエアレーションを併用するシステムで、水槽３下部から各水槽３に個別に海水Ｗを供給するために、例えば、各水槽３の育成生物の個体収容密度が異なっている場合や、稚貝育成水槽と成貝育成水槽が同一システム内に混在している場合に、供給する微細藻等餌量の調整を海水供給量で調整する場合などに有効である。海水Ｗはある程度循環流により繰り返し各段間の間隙Ｄ１を流通することができる。この作用を活かすためには給水量を極力抑えながら供給することで、育成生物に利用されなかった海水Ｗを無駄に排水することを抑制することができ、且つ、給水バルブ１０の操作だけで各水槽３の海水交換率を独立して調整することができる。
【００３４】
図１２（ｂ）は、海水が給水される上流側の水槽３Ａの上部排水口３ａと、下流側の水槽３Ｂ及び３Ｃの下部給水口３ｂを順次連結したプラントを示すものである。供給された海水Ｗは上流側水槽３Ａから下流側水槽３Ｂ及び３Ｃに向けて流れ、上流側水槽３Ａから順次使用されていくために、下流側水槽３Ｂ及び３Ｃに行くにしたがい海水中の餌量は減少していき、培地６から海水中に溶出した汚濁物質も下流側水槽３Ｂ及び３Ｃ行くにしたがって、濃度が増加してしまう。しかしながら、給水設備及び排水設備が比較的簡単、省部材化が図れるという利点がある。
【００３５】
図１２（ｃ）に示すプラントは、中央空洞部４の水面より高い位置から中央空洞部４内に落水させて給水するものである。これにより、中央部空洞４内には給水量に応じた下降流が発生し、各育成皿２段間の間隙には中央空洞部４より分配流が供給されることになり、エアレーションが不要になる。この方法は供給海水量（溶存酸素及び餌を含む）が比較的豊富に使用できる場合に有効であり、また、循環流が発生しないために、供給された海水Ｗは装置１内を一度しか通過しないことになる。このため育成生物Ｓに利用されなかった餌が混入した排水は多くなるが、育成生物Ｓは常に新鮮な海水に晒されるという利点がある。
【００３６】
干満システムプラント：
図１３は各水槽３３Ａ、３Ｂ及び３Ｃの下部同士を給水パイプ９の枝管９ａで連結したプラントを示すもので、最後尾の水槽３Ｃの排水パイプ１１の枝管１１ａは逆Ｕ字型でサイフォンの原理を利用して排水されるようになっている。したがって、当初、給水が始まると、全水槽３Ａ、３Ｂ及び３Ｃがほぼ同じ水位で水面が上昇していき、排水パイプ１１の枝管１１ａの上部まで水面上昇が継続される。その後、水面が排水パイプ１１の枝管１１ａの最高位置まで到達した時点で排水が始まり、水位は低下し始める。水面が排水パイプ１１の枝管１１ａの取水口まで低下すると、外気を吸入して排水は停止し、再度全水槽３Ａ、３Ｂ及び３Ｃがほぼ同時に水面上昇に転ずる。その後はこの水面の上昇と下降を繰り返す。水面の上昇下降の水位変動の時間は、供給海水量の給水スピード及び排水パイプ１１の枝管１１ａの管径または給水を間欠的に行うかどうかで調整できる。
【００３７】
図１４は各水槽３Ａ、３Ｂ及び３Ｃを逆Ｕ字型パイプ（以下、排水サイフォンという）１２で連結したプラントを示すものである。この方式は各水槽３Ａ、３Ｂ及び３Ｃに排水サイフォン１２を給水パイプとして採用したものであり、各水槽３Ａ、３Ｂ及び３Ｃの水位変動には位相差が生じる。つまり、給水側上流の第１水槽３Ａが満水位Ｌに到達すると、第１水槽３Ａの排水サイフォン１２が第２水槽３Ｂに給水を開始して、第２水槽３Ｂが水位上昇すると共に第１水槽３Ａの水位が低下する。そして、第１水槽３Ａと第２水槽３Ｂの水位が一致した時点で、両水槽３Ａ及び３Ｂが同水位で満水位Ｌ（図中、二点鎖線で示す水平線）まで水位の上昇に転ずる。そして、これらが満水位Ｌになった時点で第３水槽３Ｃへの吸水が開始され、順次下流側水槽３Ｂ及び３Ｃへ海水Ｗの供給が同じ状態で移動していく。
【００３８】
そして、最後尾の水槽３Ｃが満水位Ｌになると、最後尾水槽３Ｃの排水サイフォン１２から全水槽３Ａ、３Ｂ及び３Ｃの排水が最後尾排水口より開始される。各水槽３Ａ、３Ｂ及び３Ｃの最低水位は、最後尾水槽３Ｃの排水量と最上流水槽３Ａの給水量の差で変化するが、排水量が給水量より多い場合は、最後尾水槽３Ｃの排水口３ｂまで水位が低下した後に、最後尾排水口３ｂに外気が入り込んで排水はストップする。その後、最上流水槽３Ａより貯水が始まり、順次下流側水槽３Ｂ及び３Ｃに移動することを繰り返すことになる。このプラントは、下流側水槽３Ｂ及び３Ｃに行くにしたがって、干出時間が長くなる。また、上層段の育成皿２のほうが干出時間が長くなる。したがって、長い干出時間好む育成種と短い干出時間好む育成種など、性質の異なる育成種を同一プラント内に混在して養殖する場合に適している。
【００３９】
図１５に示すプラントは、図１４に示したプラントとほぼ同じであるが、最後尾の水槽３Ｃの排水サイフォン方式をオーバーフロー管１２と制御型調整バルブ１３に変更したものである。また、給水側も同様に制御型調整バルブ１３で任意に給水と排水を行うことができるようになっている。この方式は叙述してきた自然な物理現象を利用するのではなく、完全に人為的に給排水及び水位変動を制御するものであり、干出時間を自由に制御できる。したがって、育成生物の特性、あるいは餌量の消費量に応じて干出時間を調整することが可能となる。
【００４０】
図１６は、育成皿２を同一プール１４内に組み込んだプラントを示すものである。この場合の干満水位の制御は、プール１４全体の給水管１４ａ、排水口１４ｂで行うことになるが、各育成皿２に対して個別の水槽及び配管システムが要らなくなる。また、水質の汚濁速度は個別に水槽３を使うシステムより緩和することができる。このプラントを自然海の干満差で利用する場合は、積層した育成皿２だけを海岸などの自然の干満潮が発生する場所に設置することで利用可能となる。
【符号の説明】
【００４１】
１    養殖装置
２    育成皿（育成床）
２ａ  貝収容部
２ｂ  網体（パンチングメタル又はメッシュフィルター）
２ｃ  弧状凹所
２ｄ  係合ディンプル
２ｅ  錐形板
３    水槽
３Ａ  第１の水槽（上流側）
３Ｂ  第２の水槽（中間）
３Ｃ  第３の水槽（下流側）
４    中央空洞
５    円筒管
５ａ  弧状凹所との係合突起
６    養殖培地（砂層）
７    散気ブロアー
８    エアホース
９    給水パイプ
９ａ  給水パイプの枝管
１０  給水バルブ
１１  排水パイプ
１１ａ排水パイプの枝管
１２  排水サイフォン又はオーバーフロー管
１３  制御型調整バルブ
１４  プール
１４ａ給水管
１４ｂ排水口
Ｓ    二枚貝（棲底生物）
Ｓａ  入水管
Ｓｂ  出水管
Ｄ１  育成皿間の間隙
Ｄ２  育成皿と水槽壁との間隙
【図１】
2012019746.tif 000003
【図２】
2012019746.tif 000004
【図３】
2012019746.tif 000005
【図４】
2012019746.tif 000006
【図５】
2012019746.tif 000007
【図６】
2012019746.tif 000008
【図７】
2012019746.tif 000009
【図８】
2012019746.tif 000010
【図９】
2012019746.tif 000011
【図１０】
2012019746.tif 000012
【図１１】
2012019746.tif 000013
【図１２】
2012019746.tif 000014
【図１３】
2012019746.tif 000015
【図１４】
2012019746.tif 000016
【図１５】
2012019746.tif 000017
【図１６】
2012019746.tif 000018
【手続補正書】
【提出日】平成23年7月11日(2011.7.11)
【手続補正２】
【補正対象書類名】明細書
【補正対象項目名】０００１
【補正方法】変更
【補正の内容】
【０００１】
本発明は、二枚貝等の底棲生物の養殖装置に関するものであり、とくに、アサリやハマグリ、シジミのように潮流にさらされる環境で生息している底棲生物を養殖するために使用される装置に関するものである。
【手続補正３】
【補正対象書類名】明細書
【補正対象項目名】００４１
【補正方法】変更
【補正の内容】
【００４１】
１    養殖装置
２    育成皿（育成床）
２ａ  貝収容部
２ｂ  網体（パンチングメタル又はメッシュフィルター）
２ｃ  弧状凹所
２ｄ  係合ディンプル
２ｅ  錐形板
３    水槽
３Ａ  第１の水槽（上流側）
３Ｂ  第２の水槽（中間）
３Ｃ  第３の水槽（下流側）
４    中央空洞
５    円筒管
５ａ  弧状凹所との係合突起
６    養殖培地（砂層）
７    散気ブロアー
８    エアホース
９    給水パイプ
９ａ  給水パイプの枝管
１０  給水バルブ
１１  排水パイプ
１１ａ排水パイプの枝管
１２  排水サイフォン又はオーバーフロー管
１３  制御型調整バルブ
１４  プール
１４ａ給水管
１４ｂ排水口
Ｓ    二枚貝（底棲生物）
Ｓａ  入水管
Ｓｂ  出水管
Ｄ１  育成皿間の間隙
Ｄ２  育成皿と水槽壁との間隙